(57)【要約】【課題】ＩＰＭモータの回転子において、永久磁石の固定位置を一定にする。【解決手段】モータ１の回転子３は、周方向に所定の間隔をあけて設けられた複数の磁石埋設孔３２を有する回転子鉄心３１と、複数の磁石埋設孔３２のそれぞれに挿入固定された複数の永久磁石３４と、を備えている。永久磁石３４は、互いに対向する第１及び第２面３４ａ，３４ｂのうちの第１面３４ａと回転子鉄心３１とが加熱により発泡しかつ硬化する発泡接着剤６０を介して接着固定される一方、第２面３４ｂと回転子鉄心３１とが加熱により発泡しない熱硬化性接着剤６１を介して接着固定されている。【選択図】図２
2019140847.tif 000002
【特許請求の範囲】
【請求項１】
周方向に所定の間隔をあけて設けられた複数の磁石埋設孔を有する回転子鉄心と、前記複数の磁石埋設孔のそれぞれに挿入固定された複数の永久磁石と、を少なくとも備えた回転子であって、
前記永久磁石は、互いに対向する第１及び第２面のうちの第１面と前記回転子鉄心とが加熱により発泡しかつ硬化する発泡接着剤を介して接着固定される一方、前記第２面と前記回転子鉄心とが加熱により発泡しない熱硬化性接着剤を介して接着固定されていることを特徴とする回転子。
【請求項２】
請求項１に記載の回転子において、
前記複数の磁石埋設孔は、前記回転子鉄心において径方向外側寄りに設けられており、
前記永久磁石の第１面と前記磁石埋設孔の回転子径方向内側の内壁面とが前記発泡接着剤により接着されることで、前記永久磁石は前記磁石埋設孔内で回転子径方向外側に寄った位置に固定されていることを特徴とする回転子。
【請求項３】
請求項１に記載の回転子において、
前記複数の磁石埋設孔は、前記回転子鉄心において径方向内側寄りに設けられており、
前記永久磁石の第１面と前記磁石埋設孔の回転子径方向外側の内壁面とが前記発泡接着剤により接着されることで、前記永久磁石は前記磁石埋設孔内で回転子径方向内側に寄った位置に固定されていることを特徴とする回転子。
【請求項４】
請求項１ないし３のいずれか１項に記載の回転子において、
前記発泡接着剤の接着強度は、前記回転子鉄心と前記永久磁石との間の吸引力よりも高いことを特徴とする回転子。
【請求項５】
請求項１ないし４のいずれか１項に記載の回転子において、
前記発泡接着剤のガラス転移温度は、モータ動作時における前記回転子の温度よりも高いことを特徴とする回転子。
【請求項６】
請求項１ないし４のいずれか１項に記載の回転子と、
前記回転子と同軸にかつ、前記回転子と所定の間隔をあけて設けられた固定子と、を少なくとも備えたことを特徴とするモータ。
【請求項７】
周方向に所定の間隔をあけて設けられた複数の磁石埋設孔を有する回転子鉄心の前記各磁石埋設孔に永久磁石を挿入して固定する回転子の組立方法であって、
第１面と該第１面に対向する第２面とを有する永久磁石の前記第１面に、加熱により発泡しかつ硬化する発泡接着剤を塗布する発泡接着剤塗布工程と、
前記発泡接着剤の厚みを所定の値に調整する厚み調整工程と、
前記発泡接着剤が塗布された前記永久磁石を熱処理して前記発泡接着剤を仮硬化する仮硬化工程と、
前記仮硬化工程の後に、前記発泡接着剤が塗布された前記永久磁石を前記複数の磁石埋設孔のそれぞれに挿入する磁石挿入工程と、
前記磁石挿入工程の後に、前記永久磁石が挿入された前記回転子鉄心を熱処理して、前記発泡接着剤を本硬化し、前記永久磁石を前記磁石埋設孔内の所定の位置に接着固定する本硬化工程と、を備えたことを特徴とする回転子の組立方法。
【請求項８】
請求項７に記載の回転子の組立方法において、
前記仮硬化工程の後に、前記永久磁石の前記第２面に加熱により発泡しない熱硬化性接着剤を塗布する接着剤塗布工程をさらに備え、
前記接着剤塗布工程の後に前記磁石挿入工程を行うことを特徴とする回転子の組立方法。
【請求項９】
請求項７または８に記載の回転子の組立方法において、
前記本硬化工程の後の前記発泡接着剤の接着強度は、前記回転子鉄心と前記永久磁石との間の吸引力よりも高いことを特徴とする回転子の組立方法。
【請求項１０】
請求項７ないし９のいずれか１項に記載の回転子の組立方法において、
前記本硬化工程の後の前記発泡接着剤のガラス転移温度は、モータ動作時における前記回転子の温度よりも高いことを特徴とする回転子の組立方法。
【請求項１１】
請求項７ないし１０のいずれか１項に記載の回転子の組立方法において、
前記磁石挿入工程において、前記磁石埋設孔の回転子径方向内側の内壁面に前記発泡接着剤が当接するように前記永久磁石を前記磁石埋設孔に挿入することを特徴とする回転子の組立方法。
【請求項１２】
請求項７ないし１０のいずれか１項に記載の回転子の組立方法において、
前記磁石挿入工程において、前記磁石埋設孔の回転子径方向外側の内壁面に前記発泡接着剤が当接するように前記永久磁石を前記磁石埋設孔に挿入することを特徴とする回転子の組立方法。
【発明の詳細な説明】
【技術分野】
【０００１】
本発明は、モータに用いられる回転子及び回転子の組立方法に関する。
【背景技術】
【０００２】
家電分野や産業機器分野、電装分野等のモータにおいて、その運転効率の高さや堅牢性から磁石埋込型モータ（以降、ＩＰＭモータという）が用いられている。ＩＰＭモータの回転子は、電磁鋼板を積層してなる回転子鉄心に形成された磁石埋設孔に永久磁石が埋設されてなり、磁石埋設孔への樹脂注入やカシメ方式により、永久磁石が回転子鉄心に固定される構成が主流となっている。
【０００３】
しかし、回転子鉄心に形成された磁石埋設孔に永久磁石を挿入して固定する際、各磁石埋設孔内での永久磁石の固定位置がばらつくことが多く、この固定位置のずれに伴い、回転子のアンバランスやトルクリプルの増大及び誘起電圧の低下等を生じ、モータ特性が低下することが知られている。従来、この課題を解決するために種々の検討がなされてきた。
【０００４】
例えば、特許文献１には、磁石埋設孔の内壁の角部に溝を設け、その溝に永久磁石を固定するためにバネ等の弾性体を圧入装着することで、永久磁石を半径方向外側に押圧した状態で磁石埋設孔内に固定した回転子を有するモータが開示されている。特許文献２には、磁石埋設孔と永久磁石との隙間に、回転子の軸方向に伸張した状態で紐状のゴム弾性体を挿入することにより、永久磁石を半径方向外側に押圧した状態で磁石埋設孔内に保持したＩＰＭモータの回転子構造が開示されている。
【０００５】
また、特許文献３には、磁石埋設孔の内側に、磁石埋設孔と連通する樹脂注入用の穴部を設け、その穴部から金型を用いて樹脂を注入することで、永久磁石を半径方向外側に押圧した状態で磁石埋設孔内に固定したＩＰＭモータの回転子構造が開示されている。
【０００６】
特許文献４には、接着剤からなる接着シートを介して永久磁石を磁石埋設孔に接着固定した回転子構造が開示されている。特許文献５には、永久磁石の半径方向外周側の面に熱膨張接着シートや熱膨張接着剤とガイド部材とを配置し、磁石埋設孔に永久磁石を挿入し、加熱して永久磁石を磁石埋設孔に接着固定した回転子構造が開示されている。
【先行技術文献】
【特許文献】
【０００７】
【特許文献１】特開２０００−３４１９２０号公報
【特許文献２】特許第５４９００５６号公報
【特許文献３】特許第３５８５８１４号公報
【特許文献４】特許第３２７７７８０号公報
【特許文献５】特許第５６０９３３０号公報
【発明の概要】
【発明が解決しようとする課題】
【０００８】
しかしながら、特許文献１，２に開示された従来技術では、耐衝撃性や耐環境性の面から長期的な信頼性を確保することは困難であった。また、回転子鉄心のブリッジ部を薄肉化した回転子に上記の従来技術を適用すると、弾性体からの圧力により、ブリッジ部が変形し、モータ特性及びモータの信頼性の低下を招くおそれがあった。
【０００９】
また、特許文献４，５に開示された従来技術では、永久磁石が回転子の半径方向内側に寄るため、永久磁石と固定子の間のギャップ（以下、エアギャップという）が大きくなり、エアギャップでの磁束密度が低下して、モータの性能低下を招くおそれがあった。
【００１０】
本発明はかかる点に鑑みなされたもので、その目的は、永久磁石を回転子鉄心の磁石埋設孔の所望の位置に信頼性の高い方法で固定する回転子の組立方法及び回転子、モータを提供することにある。
【課題を解決するための手段】
【００１１】
上記目的を達成するために、本発明に係る回転子は、周方向に所定の間隔をあけて設けられた複数の磁石埋設孔を有する回転子鉄心と、前記複数の磁石埋設孔のそれぞれに挿入固定された複数の永久磁石と、を少なくとも備えた回転子であって、前記永久磁石は、互いに対向する第１及び第２面のうちの第１面と前記回転子鉄心とが加熱により発泡しかつ硬化する発泡接着剤を介して接着固定される一方、前記第２面と前記回転子鉄心とが加熱により発泡しない熱硬化性接着剤を介して接着固定されていることを特徴とする。
【００１２】
この構成によれば、磁石埋設孔内での永久磁石の位置を、発泡接着剤の発泡倍率に応じて一定にすることができ、固定子と永久磁石との間のエアギャップを小さく、かつ一定にできる。
【００１３】
本発明に係る回転子の組立方法は、周方向に所定の間隔をあけて設けられた複数の磁石埋設孔を有する回転子鉄心の前記各磁石埋設孔に永久磁石を挿入して固定する回転子の組立方法であって、第１面と該第１面に対向する第２面とを有する永久磁石の前記第１面に、加熱により発泡しかつ硬化する発泡接着剤を塗布する発泡接着剤塗布工程と、前記発泡接着剤の厚みを所定の値に調整する厚み調整工程と、前記発泡接着剤が塗布された前記永久磁石を熱処理して前記発泡接着剤を仮硬化する仮硬化工程と、前記仮硬化工程の後に、前記発泡接着剤が塗布された前記永久磁石を前記複数の磁石埋設孔のそれぞれに挿入する磁石挿入工程と、前記磁石挿入工程の後に、前記永久磁石が挿入された前記回転子鉄心を熱処理して、前記発泡接着剤を本硬化し、前記永久磁石を前記磁石埋設孔内の所定の位置に接着固定する本硬化工程と、を備えたことを特徴とする。
【００１４】
この方法によれば、発泡接着剤の所定の発泡倍率に応じて磁石埋設孔内で永久磁石の位置を確定させて、接着固定することができる。また、発泡接着剤の体積膨張を利用して永久磁石の位置を調整しているため、磁石埋設孔に別部材を配置することで発生する余分な応力が加わらず、回転子の信頼性低下を抑制できる。
【００１５】
本発明に係るモータは、上記の回転子と、前記回転子と同軸にかつ、前記回転子と所定の間隔をあけて設けられた固定子と、を少なくとも備えたことを特徴とする。
【００１６】
この構成によれば、回転子に設けられた永久磁石と固定子との間のエアギャップを小さく、かつ一定にできるため、エアギャップでの磁束密度を高めることができる。また、回転子のアンバランスやトルクリプルの増大を抑制して、良好な特性のモータを実現できる。
【発明の効果】
【００１７】
以上、説明したように、本発明によれば、磁石埋設孔内での永久磁石の位置を一定にでき、モータの性能を向上できる。また、回転子の信頼性低下を抑制できる。
【図面の簡単な説明】
【００１８】
【図１Ａ】本発明の一実施形態に係るモータの側面図である。
【図１Ｂ】本発明の一実施形態に係るモータの断面図である。
【図２】本発明の一実施形態に係る回転子の斜視図である。
【図３】図２のＩＩＩ−ＩＩＩ線での断面図である。
【図４】回転子の組立方法を説明するフロー図である。
【図５】変形例に係る回転子の断面図である。
【発明を実施するための形態】
【００１９】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２０】
（実施形態）
［モータ構造］
図１Ａ，１Ｂは、本実施形態に係るモータを示す側面図、断面図をそれぞれ示す。ただし、いずれにおいても、カバーケース等は図示していない。このモータ１は、カバーケース（図示せず）の内部に、回転軸２と、回転子３と、固定子４と、コイルＵ１１〜Ｗ４１と、バスバー５１〜５４と、を備えている。また、このモータ１はＩＰＭモータである。
【００２１】
なお、図１Ａ，１Ｂに示すように、回転軸２の長手方向をＺ方向と呼び、これに直交する方向をＸ方向と呼び、また、Ｘ及びＺ方向に直交する方向をＹ方向と呼ぶことがある。
【００２２】
回転子３は、回転軸２と回転子鉄心３１と永久磁石３４とを有している。回転子鉄心３１は回転軸２に外嵌されており、固定子４に対向してＮ極、Ｓ極が回転子鉄心３１の外周方向に沿って交互に配置された永久磁石３４，３４・・・が内部に埋設されている。なお、回転軸２を除く回転子３の構造については後述する。また、以降の説明において、回転子鉄心３１の外周方向を単に「周方向」と呼び、半径方向を「径方向」と呼ぶことがある。
【００２３】
また、径方向において、固定子４の中心側、つまり、回転軸２及び回転子３が設けられた側を「内」と、その反対側、つまり、固定子コア４１側を「外」と呼ぶことがある。
【００２４】
なお、後述する電磁鋼板の積層する方向と、上記の軸方向とは、同方向であり、同義である。
【００２５】
また、円環状の固定子コア４１の中心方向に突出する複数の歯部は、ティース（ｔｅｅｔｈ：ｔｏｏｔｈの複数型）と呼称されるものである。このティース（ｔｅｅｔｈ：ｔｏｏｔｈの複数型）のうち、一つの歯部については、英原語の表記に準じて、トゥース（ｔｏｏｔｈ）と記す。以降の記述においては、ティース（ｔｅｅｔｈ：ｔｏｏｔｈの複数型）又はトゥース（ｔｏｏｔｈ）という用語を適宜に使い分けて記す。
【００２６】
固定子４は、略円環状の固定子鉄心４１と、その内周に沿って等間隔に設けられた複数のトゥース４２と、トゥース４２，４２・・・間にそれぞれ設けられたスロット４３，４３・・・とを有しており、Ｚ方向から見て、回転子３と同軸に、かつ回転子３の径方向外側に回転子３と所定の間隔をあけて配置されている。固定子鉄心４４は、固定子ヨーク４１とトゥース４２，４２・・・とから構成されている。固定子ヨーク４１及びトゥース４２は、例えば、ケイ素等を含有した電磁鋼板を所望の形状に打ち抜き加工して複数の電磁鋼片を作成し、更に、この複数の電磁鋼板片を積層して、固定子ヨーク４１及びトゥース４２を構成する。また、固定子ヨーク４１は、本実施形態の電動機における、固定子コア４４の外枠部を構成する継鉄（ｂａｃｋ  ｙｏｋｅ）である。
【００２７】
なお、本実施形態において、回転子３の磁極数は、固定子４に対向するＮ極が５個、Ｓ極が５個の計１０極であり、スロット４３の数は１２個であり、所謂、１０極１２スロットと呼称される構成である。なお、１０極１２スロットに限定されるものではなく、その他の磁極数とスロット数との組合せについても適用できる。例えば、１０極９スロットの構成、８極１２スロットの構成、１２極９スロットの構成、１４極１２スロットの構成など、いずれにも適用可能である。
【００２８】
また、固定子４は１２個のコイルＵ１１〜Ｗ４１を有しており、これらのコイルは各トゥース４２，４２・・・に対して装着されて、Ｚ方向から見て、各スロット４３，４３・・・内に配置されている。つまり、コイルＵ１１〜Ｗ４１はトゥース４２，４２・・・に対して集中巻になっている。ただし、分布巻きにしていてもよい。また、図示しないが、バスバー５１はコイルＵ１１〜Ｗ４１に、バスバー５２はコイルＶ１２〜Ｖ４２に、バスバー５３はコイルＷ１１〜Ｗ４１にそれぞれ接続されている。同様に図示しないが、バスバー５４の電位は、モータ１の中性点電位に対応している。
【００２９】
ここで、コイルを表わす符号ＵＸＹ、ＶＸＹ、ＷＸＹのうち、最初の文字はモータ１の各相（本実施形態の場合は、Ｕ相、Ｖ相、Ｗ相）を表わし、２番目の文字は同相内のコイルの配列順を表わす。３番目の文字はコイルの巻回方向を表わし、本実施形態では、１は時計回り方向、２は反時計回り方向である。従って、コイルＵ１１は、Ｕ相の配列順が１番目のコイルで、巻回方向が時計回り方向であることを表わし、コイルＶ４２は、Ｖ相の配列順が４番目のコイルで、巻回方向が反時計回り方向であることを表わす。なお、「時計回り」とは、モータ１の中心から見て右回りをいい、「反時計回り」とはモータ１の中心から見て左回りをいう。また、厳密には、コイルＵ１１，Ｕ４１はＵ相のコイルであり、コイルＵ２２，Ｕ３２はＵバー相（Ｕ相コイルと発生する磁界の向きが逆）のコイルであるが、以降の説明では、特に断らない限り、Ｕ相のコイルと総称する。コイルＶ１２〜Ｖ４２及びコイルＷ１１〜Ｗ４１についても同様に、Ｖ相のコイル、Ｗ相のコイルとそれぞれ総称する。
【００３０】
互いに電気角で１２０°の位相差を有するＵ，Ｖ，Ｗ相の３相の電流がそれぞれコイルＵ１１〜Ｕ４１，Ｖ１２〜Ｖ４２，Ｗ１１〜Ｗ４１に供給されて固定子４が励磁され、回転磁界が発生する。この回転磁界により、回転子３に回転トルクが発生し、回転軸２が図示しない軸受に支持されて軸線周りに回転する。
【００３１】
［回転子構造及び回転子の組立方法］
図２は、本実施形態に係る回転子の斜視図を示し、図３は図２のＩＩＩ−ＩＩＩ線での断面図を示す。ただし、図２，３において、回転軸２の図示及び説明を省略している。
【００３２】
回転子鉄心３１は、例えば、ケイ素等を含有した電磁鋼板を所望の形状に打ち抜き加工して複数の電磁鋼片を作成し、更に、この複数の電磁鋼板片を積層して形成されており、周方向に所定の間隔をあけて複数の磁石埋設孔３２が形成されている。また、磁石埋設孔３２は、Ｚ方向の両端が開口されているか一端のみが開口されており、回転子鉄心３１において径方向外側に寄った位置に配置されている。また、隣り合う磁石埋設孔３２の間にはブリッジ部３３が形成されており、回転子鉄心３１の他の部分よりも薄肉化されている。
【００３３】
永久磁石３４は、複数の磁石埋設孔３２のそれぞれに埋設固定されている。また、永久磁石３４は、回転子鉄心３１に固定された後に着磁される。なお、本実施形態において、永久磁石３４の径方向の断面形状は四角形であるが、特にこれに限定されず、モータ１の仕様等によって適宜変更されうる。例えば、断面形状が弓形や半円形であってもよいし、かまぼこ型や半楕円形状であってもよく、これに対応して、磁石埋設孔３２の径方向の断面形状も変更されうる。また、永久磁石３４として、ネオジム磁石、サマリウムコバルト磁石等の永久磁石が用いられる。なお、ネオジム磁石やサマリウムコバルト磁石は、腐食に弱いため、腐食防止のために、図示しないＮｉメッキやエポキシ電着コーティングを施して使用される。
【００３４】
また、永久磁石３４の表面（第１面）３４ａと磁石埋設孔３２の内壁における径方向内側の壁面３２ａ（以下、磁石埋設孔３２の径方向内側の内壁面３２ａという。）との間に発泡接着剤６０が設けられており、表面３４ａと対向する永久磁石３４の裏面（第２面）３４ｂと磁石埋設孔３２の内壁における径方向外側の壁面３２ｂ（以下、磁石埋設孔３２の径方向外側の内壁面３２ｂという。）との間に熱硬化性接着剤６１が設けられている。なお、永久磁石３４の両側面には、後述する本硬化工程で体積膨張した発泡接着剤６０が回り込んでおり、永久磁石３４は、発泡接着剤６０と熱硬化性接着剤６１とにより、磁石埋設孔３２の内壁に接着固定されている。
【００３５】
発泡接着剤６０は、例えば、ベースとなる接着剤に発泡剤（図示せず）が分散されてなる。発泡剤としては、低融点の有機溶剤、例えば、アルコール等を内包するマイクロカプセルが良く用いられる。また、本実施形態において、ベースとなる接着剤は、熱硬化性接着剤であることが好ましく、接着強度や耐薬品に優れたエポキシ系接着剤がより好ましい。その他の種類の接着剤を用いると硬化不良を起こすおそれがあるからである。例えば、嫌気性接着剤を用いた場合、回転子鉄心３１を構成する積層電磁鋼板の隙間に空気層が残存していると硬化不良が起こる。また、後述するように、永久磁石３４に発泡接着剤６０を塗布して磁石埋設孔３２に挿入した場合、磁石埋設孔３２と永久磁石３４との間に空気が残存すると硬化不良が起こる。同様に、湿気硬化型接着剤を用いた場合、積層電磁鋼板の隙間等の空気に触れない箇所があると硬化不良が起こる。また、紫外線硬化型の接着剤を用いた場合、磁石埋設孔３２の内部に紫外線が照射されない部分ができてしまうため、発泡接着剤６０の硬化不良が発生する。また、２液性接着剤は作業性が悪く生産性を低下させるため、本実施形態に示すような、磁石埋設孔３２内への永久磁石３４の接着固定には適していない。上記のように発泡接着剤６０に硬化不良が発生した場合、モータ１を駆動して回転子３を回転させたときに、未硬化状態の接着剤が遠心力によって回転子３から飛散し、モータ１をロックする等の不具合を起こす可能性があり、モータ１の信頼性を低下させる原因となりうる。
【００３６】
熱硬化性接着剤６１は、発泡性を有していない。つまり、発泡剤を含まない接着剤が用いられる。
【００３７】
図４は、本実施形態における回転子の組立方法を説明するフロー図を示す。なお、図４に示すフローは、回転子３の組立方法の一部であり、例えば、回転子鉄心３１と回転軸２との連結工程や永久磁石３４の着磁工程等は図示及びその説明を省略している。
【００３８】
まず、着磁されていない永久磁石３４の第１面３４ａに発泡接着剤６０を塗布する（ステップＳ１：発泡接着剤塗布工程）。ここで、発泡接着剤６０として、熱硬化性のエポキシ系接着剤にアルコールを内包したマイクルカプセルが分散されたものを用いる。本実施形態では、永久磁石３４の厚みが２．９±０．０５ｍｍ、磁石埋設孔３の径方向の幅が３．０ｍｍ〜３．１ｍｍの範囲となるように設定されている。また、ステップＳ１において、厚さが０．１４ｍｍ以上となる様に永久磁石４に発泡接着剤５を塗布する。
【００３９】
次に、スキージ等を用いて永久磁石３４に塗布された発泡接着剤６０の厚みを調整する（ステップＳ２：発泡接着剤厚み調整工程）。具体的には、永久磁石３４と発泡接着剤６０のトータルの厚みが２．９９ｍｍになる様に発泡接着剤６０の厚みを調整する。永久磁石３４の厚みの範囲が上記の通りであるため、調整後の発泡接着剤６０の厚み範囲は、０．０４ｍｍ〜０．１４ｍｍとなる。
【００４０】
発泡接着剤６０が塗布された永久磁石３４を９０℃で１０分間加熱して、液状の発泡接着剤６０を固化させて粘着性が無くなる仮硬化状態にする（ステップＳ３：発泡接着剤仮硬化工程）。この仮硬化状態では、発泡接着剤６０は固化するか、まだ発泡はしていない。つまり、マイクロカプセル内の有機溶剤が気化してマイクロカプセルが破裂する状態には到っていない。また、この状態では架橋反応があまり進んでいないため、発泡接着剤６０のベースであるエポキシ系接着剤が本来有する接着強度は発揮されていない。
【００４１】
さらに、永久磁石３４の裏面３４ｂに熱硬化性接着剤６１を塗布する（ステップＳ４：接着剤塗布工程）。熱硬化性接着剤６１は発泡性を有していない。また、塗布厚みの範囲は発泡接着剤６０の厚みよりも十分に薄くなるように熱硬化性接着剤６１を塗布する。
【００４２】
次に、仮硬化されて固化した発泡接着剤６０が塗布された永久磁石３４を回転子鉄心３１の磁石埋設孔３２に挿入する（ステップＳ５：永久磁石挿入工程）。このとき、磁石埋設孔３２の径方向内側の内壁面３２ａに発布接着剤６０の表面が当接するように永久磁石３４を磁石埋設孔３２内に配置する。
【００４３】
永久磁石３４が挿入された回転子鉄心３１を、１５０℃で３０分間加熱する。この熱処理により、マイクロカプセル内の溶剤が気化し、体積膨張してマイクロカプセルが破裂する。マイクロカプセルがあった部分に空隙を生じる。また、発泡接着剤６０のベース材である熱硬化性のエポキシ系接着剤において架橋反応が十分に進行し、均一に熱硬化することで発泡接着剤６０が本来有する接着強度が得られる。また、発泡接着剤６０の体積膨張により、永久磁石３４は磁石埋設孔３２内で径方向外側に寄せられて回転子鉄心３１に接着固定される（ステップＳ６：発泡及び本体硬化工程）。
【００４４】
本実施形態において、発泡接着剤６０は、発泡倍率、つまり、発泡後の体積膨張率が４倍となるように設定されている。例えば、発泡接着剤６０の塗布厚みが０．０４ｍｍで、磁石埋設孔３の径方向の幅が３．１ｍｍとなる組み合わせであっても、本硬化時に発泡接着剤６０が４倍に体積膨張することで、永久磁石３４と発泡接着剤６０のトータルの厚みは、３．０６ｍｍ±０．０５ｍｍとなる。つまり、本硬化時に発泡接着剤６０が発泡することで、永久磁石３４が磁石埋設孔３２内で径方向外側に寄った位置に配置されるようになる。また、発泡接着剤６０は発泡して体積膨張することで、永久磁石３４の両側面に回り込むようになり、発泡接着剤６０を介して、永久磁石３４の両側面が磁石埋設孔の内壁に接着固定される。
【００４５】
なお、本硬化後の発泡接着剤６０は、接着強度が回転子鉄心３１と永久磁石３４との間に働く磁気的吸引力よりも高くなるように、また、ガラス転移温度がモータ１の動作時に回転子３が到達する最高温度よりも高くなるように構成されている。また、本硬化時に永久磁石３４が磁石埋設孔３２内で径方向外側に寄った位置に配置されるように、永久磁石３４の裏面３４ｂに塗布される熱硬化性接着剤６１の厚みを調整する必要がある。
【００４６】
［効果等］
以上説明したように、本実施形態に係るモータ１の回転子３は、複数の磁石埋設孔３２を有する回転子鉄心３１に永久磁石３４を接着固定して組み立てられる。この組立方法は、永久磁石３４を準備し、その表面３４ａに発泡接着剤６０を塗布する発泡接着剤塗布工程（ステップＳ１）と、発泡接着剤６０の厚みを所定の値に調整する厚み調整工程（ステップＳ２）と、発泡接着剤６０が塗布された永久磁石３４を熱処理して発泡接着剤６０を仮硬化する仮硬化工程（ステップＳ３）と、仮硬化工程の後に、発泡接着剤６０が塗布された永久磁石３４を複数の磁石埋設孔３２のそれぞれに挿入する磁石挿入工程（ステップＳ５）と、磁石挿入工程の後に、永久磁石３４が挿入された回転子鉄心３１を熱処理して、発泡接着剤６０を本硬化し、永久磁石３４を磁石埋設孔３２内の所定の位置、この場合は、径方向外側に寄った位置に接着固定する本硬化工程（ステップＳ６）と、を備えている。また、仮硬化工程の後に、永久磁石３４の裏面３４ｂに熱硬化性接着剤６１を塗布する接着剤塗布工程（ステップＳ４）をさらに備え、この工程の後に永久磁石３４が磁石埋設孔３２に挿入される。
【００４７】
本実施形態によれば、永久磁石３４に塗布された発泡接着剤６０の厚みを調整し、さらに仮硬化することで、磁石埋設孔３２内に永久磁石３４を挿入する際、その位置を調整しやすくなるとともに、ハンドリングが容易になる。また、磁石挿入工程の後に熱処理を行い、発泡接着剤６０を発泡させて本硬化することで、発泡接着剤６０の所定の発泡倍率に応じて磁石埋設孔３２内での永久磁石３４の位置を確定させることができるとともに、永久磁石３４を磁石埋設孔３４内に接着固定することができる。
【００４８】
例えば、特許文献４，５に開示された従来技術では、接着シートや熱膨張接着剤及びガイド部材等を用いて、磁石埋設孔３２の内壁に永久磁石３４を固定していたが、これらの技術では、永久磁石３４が回転子鉄心３１の径方向内側に寄せられていたため、エアギャップでの磁束密度、ひいてはモータ１の誘起電圧を高められず、モータ１の特性低下を招いていた。一方、本実施形態によれば、永久磁石３４が、磁石埋設孔３４内で径方向外側に寄った位置に配置されるため、エアギャップでの磁束密度を高められ、モータ１の特性を向上することができる。
【００４９】
また、本実施形態によれば、発泡接着剤６０の体積膨張を利用して永久磁石３４の位置を調整しているため、回転子３の信頼性低下を抑制できる。例えば、特許文献１，２に開示された従来技術のように、磁石埋設孔３２内に、永久磁石３４を押圧するためのゴムやバネ等の弾性体を設ける必要が無く、また、特許文献３に開示された従来技術のように、磁石埋設孔３２内に樹脂を注入し成形する必要が無い。このことにより、回転子鉄心３１のブリッジ部３３に過度な応力が加わらず、ブリッジ部３３の変形を抑制して、高信頼性の回転子３を実現できる。また、ガイド部材やバネ等の部品も不要となり，回転子３の組立コストの上昇を抑制できる。また、回転子鉄心３１を構成する積層鋼板の隙間から樹脂が漏れ出して、回転子鉄心３１の外径が大きくなり固定子鉄心４１と接触する不具合を回避できる。また、樹脂成形用の金型を用いる必要が無く、回転子３の組立設備コストを抑制できる。
【００５０】
仮硬化工程（ステップＳ３）の後に、永久磁石３４の裏面３４ａに発泡性を有しない熱硬化性接着剤６１を塗布する接着剤塗布工程（ステップＳ４）を行い、この工程の後に磁石挿入工程（ステップＳ５）を行ってもよい。このことにより、磁石埋設孔３２内で永久磁石３４を確実に接着固定することができる。
【００５１】
本硬化工程（ステップＳ６）後の発泡接着剤６０の機械強度は、回転子鉄心３１と永久磁石３４との間の吸引力よりも高いことが好ましい。このことにより、当該吸引力に抗して、永久磁石３４を回転子鉄心３１の径方向外側に常に寄せて配置することができ、長期間の使用時にもモータ１の特性を高く維持できる。
【００５２】
本硬化工程（ステップＳ６）後の発泡接着剤６０のガラス転移温度は、モータ１の動作時における回転子３の温度よりも高いことが好ましい。例えば、モータ１の動作時に回転子３が到達する最高温度が１００℃である場合に、発泡接着剤６０のガラス転移温度は、１２０℃であることが好ましい。このことにより、モータ１の動作時に、磁石埋設孔３２内で永久磁石３４が移動せず、特性の温度依存性が小さい高信頼性のモータ１を実現できる。
【００５３】
磁石挿入工程（ステップＳ５）において、磁石埋設孔３２の径方向内側の内壁面３２ａに発泡接着剤６０が当接するように永久磁石３４を磁石埋設孔３２に挿入するのが好ましい。このようにすることで、本硬化工程（ステップＳ６）時に発泡接着剤６０が発泡し体積膨張して、永久磁石３４は、磁石埋設孔３２内で径方向外側に寄って配置される。このことにより、永久磁石３４と固定子４との間のエアギャップを小さくでき、エアギャップでの磁束密度を高めて、モータ性能の低下を抑制することができる。また、発泡接着剤６０の厚みが調整されているため、永久磁石３４の表面３４ａと磁石埋設孔３２の径方向内側の内壁面３２ａとの間隔は、発泡接着剤６０の所定の発泡倍率に応じて一定とすることができ、回転子鉄心３１のアンバランスやトルクリプルの増大が抑制しされて、良好な特性のモータ１が得られる。
【００５４】
また、上記の組立方法によって組み立てられた回転子３は、軸線周りに回転可能な回転軸２と、回転軸２に外嵌される一方、周方向に所定の間隔をあけて設けられた複数の磁石埋設孔３２を有する回転子鉄心３１と、複数の磁石埋設孔３２のそれぞれに埋設された複数の永久磁石３４と、を少なくとも備えている。また、永久磁石３４は、その表面３４ａと回転子鉄心とが発泡接着剤６０を介して接着固定される一方、裏面３４ｂと回転子鉄心３１とが熱硬化性接着剤６１を介して接着固定されている。また、複数の磁石埋設孔３２は、回転子鉄心３１において径方向外側寄りに設けられている。永久磁石３４の表面３４ａと磁石埋設孔３２の径方向内側の内壁面３２ａとの間に発泡接着剤６０が設けられることで、永久磁石３４は磁石埋設孔３２内で径方向外側に寄った位置に固定されている。
【００５５】
回転子３をこのような構成とすることで、永久磁石３４を回転子鉄心３１の半径方向外側に寄せることが可能となり、固定子４と永久磁石３４との間のエアギャップを小さくすることができる。このことにより、エアギャップでの磁束密度を高められ、モータ１の特性を向上することができる。また、磁石埋設孔３２内での永久磁石３４の位置を一定にできるため、回転子鉄心３１のアンバランスやトルクリプルの増大が抑制されて、良好な特性のモータ１が得られる。
【００５６】
また、上記の回転子３を有するモータ１は、回転子３と同軸にかつ、回転子３と所定の間隔をあけて設けられた固定子４を少なくとも備えている。
【００５７】
このような構成のモータ１は、エアギャップでの磁束密度を高められ、特性を向上することができる。また、回転子鉄心３１のアンバランスやトルクリプルの増大が抑制されて、良好な特性が得られる。
【００５８】
（変形例）
図５は、変形例に係る回転子の断面図を示す。なお、図５は、図３に示す断面に対応している。
【００５９】
図３に示す構成が、回転子３が軸心に配置され、その径方向外側に所定の間隔をあけて固定子４が配設された、いわゆるインナーロータ型のＩＰＭモータ１における回転子３であるのに対し、図５に示す本変形例の構成は、固定子４が軸心に配置され、その径方向外側に所定の間隔をあけて回転子３が配設された、いわゆるアウターロータ型のＩＰＭモータにおける回転子３である点で異なる。また、図３に示す構成では、発泡接着剤６０は、永久磁石３４の表面３４ａに設けられ、磁石埋設孔３２内で、永久磁石３４の表面３４ａと磁石埋設孔３２の径方向内側の内壁面３２ａとの間に配されている。一方、図５に示す本変形例の構成では、発泡接着剤６０は、永久磁石３４の裏面３４ｂに設けられ、磁石埋設孔３２内で、永久磁石３４の裏面３４ｂと磁石埋設孔３２の径方向外側の内壁面３２ｂとの間に配されている。なお、この回転子３の組立、つまり、磁石埋設孔３２内への永久磁石３４の接着固定は、図４に示す方法と同様に行われる。
【００６０】
本変形例の構成においても、磁石埋設孔３２内に永久磁石３４を挿入する際、その位置を調整しやすくなるとともに、ハンドリングが容易になる。また、磁石挿入工程の後に熱処理を行い、発泡接着剤６０を発泡させて本硬化することで、発泡接着剤６０の所定の発泡倍率に応じて磁石埋設孔３２内での永久磁石３４の位置を確定させることができるとともに、永久磁石３４を磁石埋設孔３４内に接着固定することができる。また、発泡接着剤６０が、永久磁石３４の裏面３４ｂと磁石埋設孔３２の径方向外側の内壁面３２ｂとの間に配されていることにより、永久磁石３４を磁石埋設孔３２内で径方向内側に寄った位置に固定することができる。このことにより、永久磁石３４と固定子４との間のエアギャップを小さくでき、エアギャップでの磁束密度を高めて、モータの性能を向上することができる。
【００６１】
また、本硬化後の発泡接着剤６０の機械強度を回転子鉄心３１と永久磁石３４との間の吸引力よりも高くなるように設定することで、当該吸引力に抗して、永久磁石３４を回転子鉄心３１の径方向内側に常に寄せて配置することができる、長期間の使用時にもモータ１の特性を高く維持できる。また、本硬化後の発泡接着剤６０のガラス転移温度を、モータ１の動作時における回転子３の温度よりも高くなるように設定することで、モータ１の動作時に、磁石埋設孔３２内で永久磁石３４が移動せず、特性の温度依存性が小さい高信頼性のモータ１を実現できる。
【００６２】
なお、変形例を含む実施形態において、発泡接着剤６０の接着強度が十分に高いか、発泡倍率が所定の値以上に高いか、あるいはその両方の条件を満たす場合には、永久磁石３４の裏面３４ｂに熱硬化性接着剤６１を設けなくてもよい。この場合、図４に示すフローのステップＳ４は省略される。
【００６３】
また、本実施形態において、永久磁石３４としてネオジム磁石を使用しているが、その材料や形状や材質については、モータ１の出力等に応じて適宜変更しうる。サマリウムコバルト磁石やフェライト磁石等を用いてもよい。なお、ネオジム磁石、サマリウムコバルト磁石は、腐食に弱いため、腐食防止のために、図示しないＮｉメッキやエポキシ電着コーティングを施して使用される。
【００６４】
なお、本実施形態における固定子４におけるコイルの導体部には、不可避不純物を含む銅（Ｃｕ）又は不可避不純物を含むアルミニウム（Ａｌ）を含む。ここで、不可避不純物とは、製造工程中に、銅（Ｃｕ）、アルミニウム（Ａｌ）への混入が避けられない微量の不純物元素のことを意味する。銅（Ｃｕ）の場合には、不可避不純物は、ヒ砒素（Ａｓ）、ビスマス（Ｂｉ）、アンチモン（Ｓｂ）、鉛（Ｐｂ）、鉄（Ｆｅ）、硫黄（Ｓ）、酸素（Ｏ）などである。アルミニウム（Ａｌ）の場合には、不可避不純物は、珪素（Ｓｉ）、マンガン（Ｍｎ）、チタン（Ｔｉ）、バナジウム（Ｖ）、ジルコニウム（Ｚｒ）、鉄（Ｆｅ）、銅（Ｃｕ）などである。
【００６５】
コイルの導体部は、絶縁性樹脂による絶縁層にて被覆される。絶縁性樹脂は、例えば、ポリイミド、ポリアミドイミド、ポリエステルイミド、ポリエステルアミドイミド、ポリアミド、ポリヒダントイン、ポリウレタン、ポリアセタール、エポキシ樹脂等が電動機の仕様に応じて適宜選択される。巻線の断面形状は、本実施形態における略長方形のほか、円形、台形、正方形、略六角形など多様であり、特に限定しない。
【００６６】
また、本実施形態においては、コイルＵ１１〜Ｗ４１を、バスバー５１〜５４によって、電気的に接続して、所謂、三相回路におけるＹ結線又はデルタ結線を構成する。なお、バスバー５１〜５４に換えて、印刷配線板（プリント基板）を用いて配線接続パターンを構成し、この配線接続パターンによって、コイルＵ１１〜Ｗ４１を、電気的に接続しても良い。また、バスバー又は印刷配線板（プリント基板）の配線接続パターンに限らず、何らかの電気的接続による配線を構成しても良い。
【００６７】
また、上述のとおり、本実施形態における磁石３４には、希土類系焼結磁石であり、所謂、ネオジム焼結磁石又はネオジウム焼結磁石などと呼称される磁石等を採用するケースが多い。ネオジム焼結磁石の材料成分は、長周期型周期表の第３族に属するスカンジウム（Ｓｃ）、イットリウム（Ｙ）及びランタノイド元素を含む。ランタノイド元素は、例えば、ランタン（Ｌａ）、セリウム（Ｃｅ）、プラセオジウム（Ｐｒ）、ネオジム（Ｎｄ）、サマリウム（Ｓｍ）、ユーロピウム（Ｅｕ）、ガドリニウム（Ｇｄ）、テルビニウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）、ルテチウム（Ｌｕ）等であり、これら元素のうち１種または２種以上の元素を含み、更には、鉄（Ｆｅ）とホウ素（Ｂ）とを含むものである。
【００６８】
また、上述のとおり、本実施形態における磁石３４は、サマリウムコバルト磁石でも良い。サマリウムコバルト磁石の材料成分には、コバルト（Ｃｏ）及びサマリウム（Ｓｍ）等の希土類元素を含む。
【００６９】
また、固定子ヨーク４１、トゥース４２及び回転子コア３１の材質として、一般的名称として広く知られた３５Ｈ３００と呼称される電磁鋼板を採用するケースが多い。この電磁鋼板には、主成分として、Ｆｅ及びＳｉを含み、副成分は特に限定しない。そして、電磁鋼板の成分には、特定し得ない微量な不可避不純物を含む。電磁鋼板は、３５Ｈ３００と同等の特性を有するものであれば良く、一例を記すものである。ちなみに、電磁鋼板の呼称は、電磁鋼板の製造企業毎に、独自の名称を付与される傾向があり、その名称は多様である。
【００７０】
また、図示していないが、固定子ヨーク４１及びトゥース４２とコイル（Ｕ１１〜Ｗ４１）との間には、固定子ヨーク４１及びトゥース４２とコイル（Ｕ１１〜Ｗ４１）との電気的絶縁性を高めるために、絶縁紙や、絶縁性樹脂によるインシュレータ（コイル巻装枠）を配置する構成が一般的である。
【産業上の利用可能性】
【００７１】
本発明の回転子は、永久磁石を回転子鉄心の磁石埋設孔内の所望の位置に安定して固定できるため、小型化、高出力化されたモータ等の機器に適用する上で特に有用である。
【符号の説明】
【００７２】
１      モータ
２      回転軸
３      回転子
３１    回転子鉄心
３２    磁石埋設孔
３２ａ  磁石埋設孔３２の径方向内側の内壁面
３２ｂ  磁石埋設孔３２の径方向外側の内壁面
３３    ブリッジ部
３４    永久磁石
３４ａ  永久磁石３４の表面（第１面）
３４ｂ  永久磁石３４の裏面（第２面）
４      固定子
４１    固定子ヨーク
４２    トゥース
４４    固定子鉄心
４３    スロット
Ｕ１１〜Ｗ４１  コイル
５１〜５４  バスバー
６０    発泡接着剤
６１    熱硬化性接着剤
【図１Ａ】
2019140847.tif 000003
【図１Ｂ】
2019140847.tif 000004
【図２】
2019140847.tif 000005
【図３】
2019140847.tif 000006
【図４】
2019140847.tif 000007
【図５】
2019140847.tif 000008